(57)【要約】【課題】払込情報を人的に入力する必要がなく、払込期日を過ぎても延滞金を加算して払込が可能な払込処理システムを提供する。【解決手段】払込用紙１１と、払込用紙１１に基づいて払込処理を行う処理装置１２とを備える払込処理システム１０において、払込情報１４を記憶しているＩＣタグ１３を払込用紙１１に貼付し、ＩＣタグ１３に記憶された払込情報１４を読み取るＩＣタグ読取部１９を処理装置１２に備える。【選択図】        図１
2007128252.tif 000002
【特許請求の範囲】
【請求項１】
払込用媒体と、前記払込用媒体に基づいて払込処理を行う処理装置とを備える払込処理システムにおいて、
前記払込用媒体は、払込情報を記憶しているＩＣタグを有し、
前記処理装置は、前記ＩＣタグに記憶された前記払込情報を読み取るＩＣタグ読取部を備える
ことを特徴とする払込処理システム。
【請求項２】
前記処理装置は、前記ＩＣタグ読取部により読み取られた前記払込情報を表示する表示部を更に備えることを特徴とする請求項１記載の払込処理システム。
【請求項３】
前記処理装置は、前記払込用媒体を載置する載置部を更に有し、前記ＩＣタグ読取部は、前記載置部に前記払込用媒体が載置されると、前記読取動作を行うことを特徴とする請求項１記載の支払処理システム。
【請求項４】
前記払込用媒体において、前記ＩＣタグは、所定位置に設けられることを特徴とする請求項１記載の支払処理システム。
【請求項５】
前記処理装置は、端末装置及び該端末装置に接続された読取装置からなり、前記ＩＣタグ読取部は、前記読取装置に設けられることを特徴とする請求項１記載の払込処理システム。
【請求項６】
前記読取装置は、ＩＣリーダからなることを特徴とする請求項５記載の払込処理システム。
【請求項７】
前記端末装置は、金融機関の窓口に設置された窓口端末であることを特徴とする請求項５記載の払込処理システム。
【請求項８】
前記端末装置は、現金自動預払機であることを特徴とする請求項５記載の払込処理システム。
【請求項９】
前記端末装置は、店舗に設置されたＰＯＳ端末であることを特徴とする請求項５記載の払込処理システム。
【請求項１０】
前記払込情報は、払込先を識別する払込先情報を含むことを特徴とする請求項１記載の払込処理システム。
【請求項１１】
前記払込先情報は、払込先の口座番号であることを特徴とする請求項１０記載の払込処理システム。
【請求項１２】
前記払込情報は、前記払込を行う払込人を識別する払込人情報を含むことを特徴とする請求項１記載の払込処理システム。
【請求項１３】
前記払込情報は、払込金額を含むことを特徴とする請求項１記載の払込処理システム。
【請求項１４】
前記払込情報は、払込期日を含むことを特徴とする請求項１記載の払込処理システム。
【請求項１５】
前記払込情報は、前記払込用媒体を識別する識別情報を含むことを特徴とする請求項１記載の払込処理システム。
【請求項１６】
前記払込情報は、払込期日及び前記払込期日経過後の延滞金計算条件を含むことを特徴とする請求項１記載の払込処理システム。
【請求項１７】
前記払込情報は、払込金額、払込期日及び前記払込期日経過後の延滞金計算条件を含み、
前記処理装置は、前記ＩＣタグ読取部により読み取られた前記払込情報に基づいて延滞金を計算する延滞金計算部を更に備えることを特徴とする請求項１記載の払込処理システム。
【請求項１８】
前記処理装置は、
現在の日付情報を供給する日付供給部と、
供給された前記日付情報と前記ＩＣタグ読取部により読み取られた前記払込情報に含まれる前記払込期日とを比較して、現在の日付が前記払込期日を経過しているか否かを判断する判断部とを更に備え、
前記払込期日を経過していると判断された場合、前記延滞金計算部は、期日経過日数を計算し、前記期日経過日数と前記払込情報に含まれる前記延滞金計算条件とに基づいて延滞金を計算することを特徴とする請求項１７記載の払込処理システム。
【請求項１９】
前記処理装置は、前記ＩＣタグ読取部により読み取られた前記払込金額と前記延滞金計算部により計算された前記延滞金とを表示する表示部を更に備えることを特徴とする請求項１７記載の払込処理システム。
【請求項２０】
前記払込情報は、更に延滞金の切り捨て条件を含み、前記延滞金計算部は、計算した前記延滞金に対して前記切り捨て条件に基づく切り捨て処理を行うことを特徴とする請求項１７記載の払込処理システム。
【請求項２１】
前記切り捨て条件は、延滞金総額に対する延滞金切り捨て条件及び延滞金の端数に対する端数切り捨て条件を含むことを特徴とする請求項２０記載の払込処理システム。
【発明の詳細な説明】
【技術分野】
【０００１】
本発明は、払込用媒体を用いて払込処理を行う払込処理システムに関する。
【背景技術】
【０００２】
従来、各種税金や公共料金等の税公金を、銀行や郵便局等の金融機関の窓口にて納付する場合、納付者は、税公金の納付書を現金又は通帳と共に窓口に提出する。また、通信販売で購入した商品の代金や各種サービスの利用料金等を、金融機関の窓口にて振込により支払を行う場合、支払者は、振込用紙を現金又は通帳と共に窓口に提出する。
【０００３】
窓口の係員は、提出された納付書や振込用紙等の払込用紙を受け付けると、該払込用紙に記載された払込先の口座番号や払込金額等を含む払込情報を、窓口の端末に人的に入力して、払込処理を実行させる。
【０００４】
また、現金自動預払機を用いて払込を行うこともある。この場合、払込人は、払込用紙に記載された払込情報を、現金自動預払機に設けられたタッチパネル等の入力部により入力して、払込処理を実行させる。
【発明の開示】
【発明が解決しようとする課題】
【０００５】
しかしながら、窓口の係員や払込人が払込情報の入力を人的に行うのは、手間がかかるうえ、入力ミスが発生する可能性がある。
【０００６】
また、例えば税公金等の払込用紙では、予め払込期日が設定され、該払込期日までに払込が行われなかった場合、延滞金が発生することがある。
【０００７】
この場合、発生した延滞金を徴収する方法として、例えば、払込期日を経過した払込用紙による払込を不可とし、延滞金を加算した払込用紙を新たに発行して払込人に送付する方法や、翌月又は次回の払込金額に延滞金を加算して請求する方法がとられている。しかしながら、これらの方法では、払込用紙の再発行に手間がかかるという問題や、料金の徴収に時間がかかってしまうという問題がある。
【０００８】
また、払込期日を経過した払込用紙による現金自動預払機での払込を不可とすると共に、払込可能な金融機関を特定して、該金融機関の窓口にて、係員が延滞金額を計算して、払込金額に加算して請求する方法もある。
【０００９】
しかしながら、延滞金額を計算するための延滞金計算条件は複雑であるうえ、払込用紙毎に異なっている。このため、金融機関は、払込期日を経過しても該金融機関にて払込可能な各払込用紙に対して、それぞれの延滞金計算条件を管理しなければならない。そして、払込が行われる際には、該当する延滞金計算条件に基づいて延滞金額を計算しなければならず、手続が煩雑であるうえ、計算ミスが発生する可能性もある。また、払込人は、払込期日を経過した払込用紙に対する払込を行うためには、払込可能な金融機関の窓口まで出向かなければならず、非常に面倒である。
【００１０】
そこで、払込情報を人的に入力する必要がなく、払込期日を過ぎても延滞金を加算して払込が可能な払込処理システムが望まれていた。
【課題を解決するための手段】
【００１１】
本発明は、以上の点を解決するために、次の構成を採用する。
【００１２】
〈構成〉
本発明に係る払込処理システムは、払込用媒体と、払込用媒体に基づいて払込処理を行う処理装置とを備え、払込用媒体は、払込情報を記憶しているＩＣタグを有し、処理装置は、ＩＣタグに記憶された払込情報を読み取るＩＣタグ読取部を備えることを特徴とする。
【００１３】
本発明に係る払込処理システムにおいて、処理装置は、ＩＣタグ読取部により読み取られた払込情報を表示する表示部を更に備えることができる。
【００１４】
また、処理装置は、払込用媒体を載置する載置部を更に有し、ＩＣタグ読取部は、載置部に払込用媒体が載置されると、読取動作を行うことができる。
【００１５】
払込用媒体において、ＩＣタグは、所定位置に設けることができる。
【００１６】
処理装置は、端末装置及び該端末装置に接続された読取装置からなり、ＩＣタグ読取部は、読取装置に設けることができる。
【００１７】
この場合、読取装置は、ＩＣリーダからなる。
【００１８】
また、端末装置として、金融機関の窓口に設置された窓口端末を採用することができる。
【００１９】
更に、端末装置として、現金自動預払機を採用することもできる。
【００２０】
また、端末装置として、店舗に設置されたＰＯＳ端末を採用することもできる。
【００２１】
本発明に係る払込処理システムにおいて、払込情報は、払込先を識別する払込先情報を含むことができる。
【００２２】
この場合、払込先情報として、払込先の口座番号を採用することができる。
【００２３】
また、払込情報として、払込を行う払込人を識別する払込人情報を含むことができる。
【００２４】
更に、払込情報として、払込金額を含むことができる。
【００２５】
また、払込情報として、払込期日を含むことができる。
【００２６】
更に、払込情報として、払込用媒体を識別する識別情報を含むことができる。
【００２７】
更に、払込情報として、払込期日及び払込期日経過後の延滞金計算条件を含むことができる。
【００２８】
本発明に係る払込処理システムにおいて、払込情報は、払込金額、払込期日及び払込期日経過後の延滞金計算条件を含み、処理装置は、ＩＣタグ読取部により読み取られた払込情報に基づいて延滞金を計算する延滞金計算部を更に備えることができる。
【００２９】
この場合、処理装置は、現在の日付情報を供給する日付供給部と、供給された日付情報とＩＣタグ読取部により読み取られた払込情報に含まれる払込期日とを比較して、現在の日付が払込期日を経過しているか否かを判断する判断部とを更に備え、払込期日を経過していると判断された場合、延滞金計算部は、期日経過日数を計算し、期日経過日数と払込情報に含まれる延滞金計算条件とに基づいて延滞金を計算することができる。
【００３０】
また、処理装置は、ＩＣタグ読取部により読み取られた払込金額と延滞金計算部により計算された延滞金とを表示する表示部を更に備えることができる。
【００３１】
また、払込情報として、更に延滞金の切り捨て条件を含むことができる。この場合、延滞金計算部は、計算した延滞金に対して切り捨て条件に基づく切り捨て処理を行う。
【００３２】
更に、払込情報に含まれる切り捨て条件として、延滞金総額に対する延滞金切り捨て条件及び延滞金の端数に対する端数切り捨て条件を含むことができる。
【発明の効果】
【００３３】
本発明の払込処理システムによれば、払込用媒体は払込情報を記憶するＩＣタグを有し、払込情報は該ＩＣタグから自動的に読み取られるので、払込情報を人的に入力する必要がなくなる。また、ＩＣタグに記憶される払込情報には、払込期日及び延滞金計算条件が含まれるので、各払込用媒体に対する延滞金計算条件を金融機関において管理しなくても、払込期日を過ぎた払込用媒体に対して、自動的に延滞金を加算して払込処理を行うことができる。
【発明を実施するための最良の形態】
【００３４】
以下、本発明の実施形態を図を用いて詳細に説明する。
【実施例】
【００３５】
図１は、本発明に係る払込処理システムの実施例の構成を示すブロック図である。
本発明に係る払込処理システム１０は、図１に示されているように、払込用媒体としての払込用紙１１と、処理装置１２とを備えている。この払込処理システム１０を利用して、払込人は、各種税金や公共料金等の税公金や、各種サービスの利用料金、通信販売で購入した商品の代金等を払い込むことができる。
【００３６】
払込用紙１１は、表面に払込先の口座番号や払込金額、払込期日等が印刷され、また、ＩＣタグ１３が貼り付けられている。
【００３７】
ＩＣタグ１３は、払込先の口座番号や払込人を識別する払込人情報、払込金額、払込期日、払込期日経過後の延滞金計算条件を含む払込情報１４を記憶している。
【００３８】
図２は、ＩＣタグに記憶された払込情報のファイルの一例を示す図である。
本実施例では、ＩＣタグ１３に記憶される払込情報１４は、図２に示されているように、ＸＭＬ形式で作成されたファイル（後述）からなるが、これに限定されない。
【００３９】
処理装置１２は、本実施例では、金融機関のコーナーに設置されている現金自動預払機１５と、専用線１６を介して該現金自動預払機１５に接続されるＩＣリーダ１７とを備えている。
【００４０】
ＩＣリーダ１７は、載置部１８、ＩＣタグ読取部１９、リーダ通信部２０及びこれら各部を制御するリーダ制御部２１を備えている。
【００４１】
載置部１８は、払込用紙１１を載置するために設けられ、載置された払込用紙１１を検知する機能を有し、また、払込処理済の払込用紙１１を内部に取り込む機能を有する。
【００４２】
ＩＣタグ読取部１９は、載置部１８に載置された払込用紙１１のＩＣタグ１３から払込情報１４を読み取る機能を有する。
【００４３】
リーダ通信部２０は、ＩＣタグ読取部１９により読み取られた払込情報１４を現金自動預払機１５へ送信する機能を有する。
【００４４】
現金自動預払機１５は、図示されないホストコンピュータに接続され、通信部２２、一時記憶部２３、表示入力部２４、日付供給部２５、判断部２６、延滞金計算部２７、印字発行部２８及びこれら各部を制御する制御部２９を備えている。
【００４５】
通信部２２は、ＩＣリーダ１７から送信された払込情報１４を受信する機能を有する。また、図示されないホストコンピュータとの間でデータの送受信を行う機能を有する。
【００４６】
一時記憶部２３は、通信部２２により受信したデータ等を一時的に記憶する機能を有する。
【００４７】
表示入力部２４は、例えばタッチパネルからなり、取引処理を選択させるための取引処理選択画面や、払込金額を確認させるための払込金額確認画面等を表示し、払込人に選択データや入力データ等を入力させる機能を有する。
【００４８】
日付供給部２５は、現在の日付情報を供給する機能を有する。
【００４９】
判断部２６は、日付供給部２５により供給された日付情報と一時記憶部２３に記憶された払込期日とを比較して、現在の日付が払込期日を経過しているか否かを判断する機能を有する。
【００５０】
延滞金計算部２７は、日付供給部２５により供給された日付情報と一時記憶部２３に記憶された払込期日とに基づいて期日経過日数を計算し、該期日経過日数と一時記憶部２３に記憶された延滞金計算条件とに基づいて延滞金を計算する機能を有する。また、一時記憶部２３に記憶された払込金額に延滞金を加算した合計払込金額を計算する機能を有する。
【００５１】
印字発行部２８は、現金自動預払機１５において実行された払込処理に対する明細票を印字して発行する機能を有する。
【００５２】
制御部２９は、上記した各部２２〜２８を制御する機能を有すると共に、図示されないホストコンピュータとの間で振込処理を含む各種の取引処理を実行する機能を有する。
【００５３】
次に、払込先である請求者による払込用紙の発行について説明する。
図３は、払込用紙発行システムの構成を示すブロック図である。
払込用紙発行システム３０は、図３に示されているように、払込用紙１１と、発行装置３１と、払込人情報管理サーバ３２と、払込人情報データベース３３とを備えている。この払込用紙発行システム３０により、請求者は、払込用紙１１を発行させることができる。
【００５４】
発行装置３１は、払込用紙１１を発行するための装置であり、本実施例では、パーソナルコンピュータ３４と、該パーソナルコンピュータ３４に接続されるプリンタ３５及びＩＣライタ３６とを備えている。
【００５５】
プリンタ３５は、パーソナルコンピュータ３４に専用線３７を介して接続され、パーソナルコンピュータ３４の制御により、払込用紙の表面に払込先の口座番号や払込金額、払込期日等を印字する機能を有する。
【００５６】
ＩＣライタ３６は、パーソナルコンピュータ３４に専用線３８を介して接続され、ＩＣタグ１３に払込情報１４を記憶させる機能を有する。ＩＣタグ１３に記憶される払込情報１４は、図２に示したように、本実施例ではＸＭＬ形式で作成されたファイルからなる。
【００５７】
ここで、図２に示すＸＭＬ形式で記述された払込情報のファイルについて説明する。
払込情報に含まれる各情報、即ち払込先の口座番号や払込人情報、払込金額、払込期日等は、それぞれ開始タグと終了タグとの間に挿入されて記述されている。なお、ここでは、開始タグと終了タグとのセットをタグとして説明する。例えば、開始タグ「＜口座番号＞」及び終了タグ「＜／口座番号＞」からなるタグのセットを、口座番号タグと呼ぶ。そして、開始タグと終了タグとの間に挿入された部分が、該タグにより指定される情報となる。例えば、図２に示された払込情報のファイルでは、口座番号タグの開始タグ「＜口座番号＞」と終了タグ「＜／口座番号＞」との間に記述された「１２３−４５６７８９０」が、口座番号タグにより指定される払込先の口座番号である。同様に、払込金額タグにより指定される払込金額は「１０，０００」、即ち１０，０００円であり、払込期日タグにより指定される払込期日は「２００５／０５／３１」、即ち２００５年５月３１日である。
【００５８】
払込情報に含まれる延滞金計算条件は、期間タグにより指定される延滞期間情報と、まるめタグにより指定されるまるめ情報とからなる。
延滞期間情報には、ＦＲＯＭタグ及びＴＯタグにより指定された期間情報と、利率タグにより指定された利率とが含まれている。そして、払込期日を経過していた場合に発生する延滞金は、払込金額、利率及び期日経過日数に基づいて計算される。また、延滞期間により延滞金計算条件を変更する場合は、延滞期間情報を複数記載すれば良い。例えば、図２に示される払込情報のファイルでは、２つの延滞期間情報が記述されている。この場合、延滞金の計算に用いられる利率は、２００５年６月１日から２００５年６月３０日までは７．３％であり、２００５年７月１日以降は１４．６％である。なお、これらの利率は年利であり、延滞金は日割計算される。
【００５９】
まるめタグにより指定されるまるめ情報には、対象タグによって指定されたまるめ対象情報、条件タグによって指定されたまるめ条件情報及び実行タグによって指定されたまるめ処理の実行情報が含まれる。ここで、まるめ処理とは、計算により発生した金額の端数を揃えるための処理、即ち切り捨て処理を示す。
例えば、図２に示される払込情報のファイルでは、まるめ対象情報として「延滞金額全体」が指定されている。そして、そのまるめ条件情報は「１，０００円未満」と記述されている。これは、延滞金額全体、即ち延滞金の総額が１，０００円未満である場合、延滞金そのものが切り捨てられることを意味している。即ち、計算された延滞金が１，０００円未満の場合は、延滞金は０円となる。
更に、まるめ対象情報として、「延滞金額端数」が指定されている。そして、そのまるめ条件情報は「１００円未満」と記述されている。この場合、計算された延滞金の端数は、その１００円未満を全て切り捨てられることを意味している。
【００６０】
払込人情報管理サーバ３２は、発行装置３１に専用線３９を介して接続されるサーバであり、払込人情報データベース３３に記憶される払込情報を管理している。
【００６１】
払込人情報データベース３３は、払込人情報管理サーバ３２に専用線４０を介して接続され、各払込人に対応させて払込情報を記憶するデータベースである。ここで、払込人情報データベース３３に記憶される払込情報は、本実施例では、払込の種類を識別する払込識別番号及び払込金額からなり、金融機関における振込処理の実行に伴って書き換えられる。
【００６２】
次に、この払込用紙発行システム３０により払込用紙１１を発行する手順について、簡単に説明する。
【００６３】
例えば、パーソナルコンピュータ３４の図示されない入力部により、請求者が払込識別番号を入力すると、払込人情報管理サーバ３２は、入力された払込識別番号に基づいて、払込人情報データベース３３を検索して、対応する払込人情報及び払込情報を読み出す。
【００６４】
続いて、読み出された払込人情報及び払込情報と、入力された払込識別番号に対応する払込期日及び延滞金計算条件とに基づいて、パーソナルコンピュータ３４は、払込情報のファイルをＸＭＬ形式で作成する。
【００６５】
そして、ＩＣライタ３６が、パーソナルコンピュータ３４により作成された払込情報のファイルをＩＣタグに記憶させる。
【００６６】
その後、プリンタ３５により払込先の口座番号や払込金額、払込期日等が印字された払込用紙に、払込情報１４が記憶されたＩＣタグ１３を貼付することにより、払込用紙１１が発行される。
【００６７】
このようにして発行された払込用紙１１は、郵送等により払込人に送付される。そして、払込用紙１１を受け取った払込人は、印字された払込情報を確認して、該払込用紙１１を金融機関に持参し、払込処理システム１０により払込処理を実行させることができる。
【００６８】
続いて、払込処理システム１０を用いた払込処理の流れを、図２に示した払込情報１４が記憶された払込用紙１１に対する払込処理を例に説明する。
図４は、本発明に係る払込処理システムの実施例における動作を示すフローチャートである。
【００６９】
現金自動預払機１５の前に立った払込人が、図示されない検知部により検知されると、検知信号が制御部２９に送られる。この検知信号を受けて、制御部２９は、取引処理を選択させるための取引処理選択画面を表示入力部２４に表示させる（Ｓ１０１）。
【００７０】
取引処理選択画面において、払込用紙を用いた払込処理が選択されると、払込人に払込用紙の載置を促すための払込用紙載置画面が表示入力部２４に表示される（Ｓ１０２）。
【００７１】
払込人が払込用紙１１をＩＣリーダ１７の載置部１８に載置すると、載置部１８が払込用紙１１を検知して、検知信号をリーダ制御部２１へ送る。この検知信号を受けて、リーダ制御部２１は、載置部１８に載置された払込用紙１１に貼付されたＩＣタグ１３から、払込先の口座番号「１２３−４５６７８９０」、払込人情報「＊＊＊＊＊＊＊＊」、払込金額「１０，０００」及び払込期日「２００５／０５／３１」と、延滞金計算条件としての延滞期間情報及びまるめ情報とを含む払込情報１４をＩＣタグ読取部１９に読み取らせ、リーダ通信部２０に該払込情報１４を現金自動預払機１５へ送信させる（Ｓ１０３）。
【００７２】
現金自動預払機１５の通信部２２がＩＣリーダ１７から払込情報を受信すると、制御部２９は、受信した払込情報１４を一時記憶部２３に一時的に記憶させる。続いて、制御部２９は、日付供給部２５に現在の日付を供給させ、判断部２６に現在の日付と一時記憶部２３に記憶された払込期日「２００５／０５／３１」とを比較させて、払込期日を経過しているか否かを判断させる（Ｓ１０４）。
【００７３】
現在の日付が払込期日、即ち２００５年５月３１日を経過していないと判断されると、制御部２９は、一時記憶部２３に記憶された払込先の口座番号及び払込金額に基づく払込金額確認画面を、表示入力部２４に表示させる（Ｓ１０５）。
【００７４】
図５は、表示入力部に表示された払込金額確認画面の説明図である。
払込金額確認画面４１には、図５に示されるように、払込先の口座番号「１２３−４５６７８９０」及び払込金額「１０，０００円」が表示されている。また、払込金額確認画面４１には、払込金額を確認するための確認ボタン４２及び払込処理を取り消すための取消ボタン４３が設けられている。
【００７５】
払込金額確認画面４１において確認ボタン４２が選択される（Ｓ１０６）と、続いて表示入力部２４は、払込方法を払込人に選択させるための払込方法選択画面を表示する（Ｓ１０７）。払込方法選択画面において、キャッシュカード又は現金の何れかによる払込方法が払込人により選択されると、制御部２９は、該選択に基づいて、ホストコンピュータとの間で払込先口座番号に基づく振込処理の実行を行うと共に、払込金額の収納を行う（Ｓ１０８）。払込金額の収納及び振込処理が完了すると、通信部２２は、収納が完了したことを示す収納完了信号をＩＣリーダ１７へ送信する。
【００７６】
ＩＣリーダ１７のリーダ通信部２０が収納完了信号を受信すると、リーダ制御部２１は、載置部１８に載置されている払込用紙１１を取り込ませる（Ｓ１０９）。そして、リーダ制御部２１は、リーダ通信部２０に払込用紙の取り込みが完了したことを示す取込完了信号を現金自動預払機１５へ送信させる。
【００７７】
現金自動預払機１５の通信部２２が取込完了信号を受信すると、制御部２９は、印字発行部２８に払込先の口座番号や払込金額等を印字した明細票を発行させる。そして、図示されない排出部により該明細票を排出させる（Ｓ１１０）と、払込処理システム１０は処理を終了する。
【００７８】
Ｓ１０４において、現在の日付が払込期日、即ち２００５年５月３１日を経過していると判断されると、制御部２９は、延滞金計算部２７に、現在の日付及び払込期日に基づいて期日経過日数を計算させ、計算された期日経過日数及び一時記憶部２３に記憶された延滞金計算条件に基づいて延滞金を計算させる（Ｓ１１１）。このとき、延滞金計算部２７は、一時記憶部２３に記憶された全ての延滞金計算条件、即ち延滞期間情報を参照する。そして、現在の日付が含まれる期間情報に対応する延滞期間情報を選択して、該延滞期間情報に含まれる利率に基づいて延滞金の計算を行う。そして、延滞金計算部２７は、一時記憶部２３に記憶された全てのまるめ情報を参照して、該まるめ情報に基づくまるめ処理を行う。延滞金計算部２７は、更に、払込金額に延滞金を加算した合計払込金額を計算する。
【００７９】
例えば、現在の日付が２００５年６月１０日である場合、対応する利率は７．３％であり、期日経過日数は１０日である。したがって、延滞金計算部２７により計算される延滞金の計算式は、「１０，０００（払込金額）×０．０７３（年利率）÷３６５（日割）×１０（期日経過日数）＝２０」となる。つまり、延滞金は２０円である。この場合、延滞金の総額が１，０００円未満であるので、延滞金計算部２７は、延滞金額全体を対象としたまるめ処理を行い、延滞金は０円となる。
【００８０】
また、現在の日付が２００６年５月１０日である場合、２００５年６月１日から２００５年６月３０日までの利率は７．３％であり、２００５年７月１日以降の利率は１４．６％である。したがって、２００５年６月１日から２００５年６月３０日までの３０日間に対する延滞金の計算式は、「１０，０００（払込金額）×０．０７３（年利率）÷３６５（日割）×３０（期日経過日数）＝６０」となる。つまり、該３０日間に発生する延滞金は６０円である。そして、２００５年７月１日から２００６年５月１０日までの３１４日間に対する延滞金の計算式は、「１０，０００（払込金額）×０．１４６（年利率）÷３６５（日割）×３１４（期日経過日数）＝１，２５６」であり、該３１４日間に発生する延滞金は１，２５６円となる。延滞金計算部２７は、これらを加算して、全延滞期間に発生する延滞金１，３１６円を計算する。延滞金計算部２７は、更に、延滞金額端数を対象としたまるめ処理、即ち１００円未満の切り捨て処理を行い、延滞金は１，３００円となる。そして、延滞金計算部２７は、払込金額１０，０００円に延滞金１，３００円を加算して、合計払込金額１１，３００円を計算する。後述する図６に、この場合の画面表示例を示す。
【００８１】
続いて、制御部２９は、一時記憶部２３に記憶された払込先の口座番号及び払込金額と延滞金計算部２７により計算された延滞金及び合計払込金額とに基づく合計払込金額確認画面を、表示入力部２４に表示させる（Ｓ１１２）。
【００８２】
図６は、表示入力部に表示された合計払込金額確認画面の説明図である。
合計払込金額確認画面４４には、図６に示されるように、払込期日「２００５／０５／３１」及び現在の日付「２００６／０５／１０」が表示されている。また、合計払込金額確認画面４４には、払込先の口座番号「１２３−４５６７８９０」、払込金額「１０，０００円」、延滞金「１，３００円」及び合計払込金額「１１，３００円」が表示されている。更に、合計払込金額確認画面４４には、合計払込金額を確認するための確認ボタン４５及び払込処理を取り消すための取消ボタン４６が設けられている。
【００８３】
合計払込金額確認画面４４において確認ボタン４５が選択される（Ｓ１１３）と、制御部２９は、上記したＳ１０７〜Ｓ１１０の処理を実行する。
【００８４】
上記したように、本実施例では、払込用紙に払込先の口座番号や払込金額等を含む払込情報を記憶させたＩＣタグを貼付しておき、現金自動預払機を利用した払込処理の実行時に、該現金自動預払機に接続されたＩＣリーダによりＩＣタグから払込情報を読み取って自動的に入力するので、人的な入力にかかる時間を短縮できると共に、入力ミスを防止できる。
また、更に払込期日及び延滞金計算条件をＩＣタグに記憶させておくことにより、払込期日を過ぎても現金自動預払機で払込処理を行うことが可能となり、払込人の利便性が向上すると共に、金融機関は、各払込用紙に対応する延滞金計算条件を管理する必要がなくなり、コストが低減される。そして、請求者による延滞金を加算した払込用紙の再発行の必要がなくなると共に、延滞金の徴収にかかる時間が短縮される。
【００８５】
なお、本実施例では、払込処理システムの処理装置に含まれる端末装置として、現金自動預払機を採用したが、これに代えて、金融機関の窓口端末を採用することもできる。この場合、窓口端末の操作は窓口の係員により行われる。そして、処理装置における払込用紙の取り込み及び明細票の印字発行に代えて、払込処理済の払込用紙に係員が受領印を押捺して返却することもできる。
【００８６】
また、端末装置として、コンビニエンスストア等の商店に設置されたＰＯＳ端末を採用することもできる。これにより、商店における料金収納にも、本発明を適用することが可能である。
【図面の簡単な説明】
【００８７】
【図１】本発明に係る払込処理システムの実施例の構成を示すブロック図である。
【図２】ＩＣタグに書き込まれた払込情報の一例を示す図である。
【図３】払込用紙発行システムの構成を示すブロック図である。
【図４】本発明に係る払込処理システムの実施例における動作を示すフローチャートである。
【図５】表示入力部に表示された払込金額確認画面の説明図である。
【図６】表示入力部に表示された合計払込金額確認画面の説明図である。
【符号の説明】
【００８８】
１０  払込処理システム
１１  払込用紙
１２  処理装置
１３  ＩＣタグ
１４  払込情報
１５  現金自動預払機
１７  ＩＣリーダ
１８  載置部
１９  ＩＣタグ読取部
２４  表示入力部
２５  日付供給部
２６  判断部
２７  延滞金計算部
【図１】
2007128252.tif 000003
【図２】
2007128252.tif 000004
【図３】
2007128252.tif 000005
【図４】
2007128252.tif 000006
【図５】
2007128252.tif 000007
【図６】
2007128252.tif 000008